(57)【特許請求の範囲】
【請求項１】
床（１２）、
前記床（１２）から垂直方向（１６）において上方にのびる２つの対向する短い側壁（１４ａ、１４ｃ）、および
前記床（１２）から垂直方向（１６）において上方にのびる２つの対向する長い側壁（１４ｂ、１４ｄ）を含み、
前記４つの側壁の１つは、閉じた状態において側面領域を完全にカバーし、さらに、開いた状態において開口壁（１４ｄ）が前記床（１２）の下に配置されるように、前記開口壁（１４ｄ）が前記側面領域の一部分だけをカバーする開いた状態に移動可能である、開口壁（１４ｄ）として実装される、箱であって、
前記長い側壁の１つは、開口壁（１４ｄ）として実装され、
開口壁として実装されない前記側壁（１４ａ、１４ｂ、１４ｃ）は、折り畳まれた状態においてそれが前記床（１２）に平行に水平位置にあるように前記側壁が垂直位置から前記床の方向に内側に折り畳み可能であるように、前記床（１２）に対して移動可能にマウントされ、
前記床は、前記開口壁（１４ｄ）に隣接する前記短い側壁（１４ａ、１４ｃ）の対向する側において、それぞれ、前記床の下に折り畳まれるその状態において前記開口壁（１４ｄ）より前記垂直方向（１６）においてさらに下にのびる一定の床縁領域（３２）を含み、その結果、前記箱（１０）は、折り畳まれていない状態においても折り畳まれた状態においても、前記開口壁が前記折り畳まれていない状態において開かれまたは閉じられるかどうかとは無関係に、積み重ねられうり、前記一定の床縁領域（３２）は、前記折り畳まれていない状態および前記折り畳まれた状態において、積み重ねられた箱間に接触面を形成し、
前記一定の床縁領域は、前記開いた状態に移動するときに前記開口壁がガイドされるそれぞれに対向する表面にガイド溝を含み、
前記開口壁は、前記ガイド溝にのびる軸を含み、
前記ガイド溝は、前記側面領域に隣接するその端々で水平方向および前記垂直方向において上部の方で閉じられ、その結果、前記軸は、前記ガイド溝から離れることができなく、さらに、前記折り畳まれていない状態において前記開口壁の前記軸を介して、力が前記床に伝達される、箱（１０）。
【請求項２】
前記開いた状態において、前記開口壁（１４ｄ）は、前記床（１２）に平行に配置される、請求項１に記載の箱（１０）。
【請求項３】
前記開口壁（１４ｄ）は、前記床（１２）に接続され、その結果、前記開口壁（１４ｄ）は、垂直位置において上方にのびる位置から前記箱（１０）の前記床（１２）に平行に通る位置に外側に傾斜されうる、請求項１または請求項２に記載の箱（１０）。
【請求項４】
前記開口壁（１４ｄ）は、少なくとも２つのロック機構（１８ａ、１８ｂ）を含み、前記ロック機構（１８ａ、１８ｂ）のそれぞれは、前記開口壁（１４ｄ）を前記閉じた状態において前記隣接する短い側壁（１４ａ、１４ｃ）の１つずつにロックするように構成される、請求項１ないし請求項３の１つに記載の箱。
【発明の詳細な説明】
【技術分野】
【０００１】
本発明は、輸送されうる商品に用い、さらに、例えば輸送された商品が簡単な方法で取り出されまたは満たされうるようにより柔軟な取り扱いを可能にする箱に関する。
【背景技術】
【０００２】
輸送および収納の箱は、市場において複数のバリエーションで利用可能である。ここで、矩形の床スペースの箱または木枠がたびたび用いられ、それらの外形寸法は、輸送される商品に部分的に調整される。さらに、果物および野菜は、それらが小売業において棚に提供される分野において直接的に適切な輸送箱に部分的に積まれ、そして、顧客は、それを輸送箱から直接的に取る。また、すでに包装が施されている製品は、小売店において必要な再配置の数をできるだけ少なく保ち、ひいてはコストを節約するために、輸送箱において直接的に売るためにしばしば提供される。このように、例えば、顧客が輸送箱から卵を取り出すことができるように、例えば６個または１０個の小売サイズに包装される卵は、棚の上でそれらの輸送箱の中に直接的に提供される。
【０００３】
ここで、箱は、箱の積み降ろしが上部から行われるように、剛体側壁を伝統的に備えており、そのため、輸送される商品は、上部から箱に積まれ、または、上部から、箱から取り出されなければならない。これは、箱が、例えば、上部から箱にアクセスが可能でないように、より高い棚領域に配置されるときに、例えば、箱から商品を取りたい顧客が苦労して商品に届くことができるように、取り扱いに関して不利でありうる。また、箱が重なり合って省スペース方法で収納されるために積み重ねられるときに、箱の内容にアクセスすることは、それらの開口が上部において箱によってカバーされるように、より低い箱に関してもはや可能でない。
【発明の概要】
【発明が解決しようとする課題】
【０００４】
このように、例えば、箱において輸送される商品の積み降ろしが以前より柔軟に可能である、すなわち、箱が全般的に用いられうりさらにより柔軟な方法で使用可能である、より柔軟な箱を提供する必要がある。
【課題を解決するための手段】
【０００５】
本発明の１つの実施形態によれば、増加した柔軟性は、床と対になって互いに対向する４つの側壁とを含む箱によって保証され、それらは、４つの側壁の１つが開口壁であるときに床から垂直方向において上方にのびる。閉じた状態において側面領域を完全にカバーする開口壁（その状態において、それは、床から垂直方向において上方に垂直位置にのびる）は、開いた状態において開口壁が少なくとも隣接する側壁の１つまたは床を部分的にカバーするように、開口壁が側面領域の一部分だけをカバーする開いた状態に移動されうる。
【０００６】
閉じた状態において、開口壁は、床におよび隣接する側壁にノンポジティブまたは摩擦の方法で接続される。完全に開いた状態において、いくつかの実施形態によれば、開口壁は、箱にまだ接続されているが、それは、もはや箱の容積を制限する側壁を外側に形成しない。閉じた状態において、箱は、輸送するために用いられうり、床に加えて、箱は、その４つの側のそれぞれにおいてそれぞれ１つの側壁によって制限される。しかしながら、開口壁は、閉じた状態において開口壁によって完全にカバーされる側面領域が開口壁によってもはや部分的にだけカバーされまたは全くカバーされないように、この閉じた位置またはこの閉じた状態から少なくとも部分的に移動可能である。このように、開いた状態において、上部からアクセス性を必要とせずに、もはやカバーされない側面領域を介して、商品は、箱から取り出されうり、または、商品は、箱に挿入されうる。このようにして、これは、箱の柔軟性を実質的に増加し、例えば、箱によって輸送される製品は、棚に直接的に置かれうる。開口壁を開いた状態に移動することによって、直接的にさらに大きな努力なしに、商品に対するアクセスは、箱が棚において正確にどこに配置されるか多くの注意を払う必要なしに達成されうる。
【０００７】
ここで、いくつかの実施形態による開口壁が、それを開くときに、運搬上の問題および取り扱いに関する問題を再びもたらす箱から完全に分離されないことが利点である。むしろ、開口壁は、それがまだ箱に接続されたままであるように、開いた状態に移動されうり、さらに、ここでは、特に、隣接する側壁の１つまたは箱の床を部分的にカバーする。これは、側壁の実装の１つまたは以下に記載されている側壁を保持して開く機構によって達成されうり、さらに、その開いた位置において開口壁がまだ箱の他の部分に接続されたままであり、そのため、紛失されないという利点を有する。本発明のいくつかの実施形態において、残りの３つの側壁は、折り畳めるようにまたは折り畳み可能に床にさらにマウントされ、その結果、箱は、３つの側壁を垂直位置からそれらが箱の床に基本的に平行でかつそれを部分的にカバーする水平位置に折り畳むことによって折り畳み可能である。本発明のいくつかのさらなる実施形態において、開口壁は、開いた状態において、３つの残りの側壁の折り畳みが妨げられないようにそれが床または隣接する側壁をカバーするように、移動可能である。
【０００８】
いくつかの実施形態によれば、これは、開口壁を開くときに、残りの側壁が配置される側に対向する床の側に開口壁を移動することによって達成される。いくつかの実施形態において、開口壁は、開口位置にもたらされ、それは、それがマウントされまたは停止される残りの側壁に対向する床の下部側に平行に配置される。このように、開口壁が開くときに、残りの側壁は、床の上部側に折り畳まれうり、その結果、その折り畳まれた状態において、結果的にコンパクトに折り畳まれた箱が得られるように、それは、ほとんどスペースを必要としなくて、再び補充されるために費用効果的な方法で輸送されうる。
【０００９】
開口壁を移動する他の可能性は、開いた状態において隣接する側壁の１つをカバーするためにそれをもたらすことであり、その結果、開口壁とともに対応する側壁は、床の表面上に折り畳まれうり、さらに、結果的に完全な箱が折り畳み可能なままである。いくつかの実施形態において、開口壁は、カバーされた側面領域を完全に露出するためにその本質において移動可能であるだけでない。いくつかの実施形態によれば、完全に開いた位置の方向において部分的にだけ開口壁を移動することはむしろ可能であり、その結果、箱において輸送される商品に対するアクセスは、ゆっくりと制御された方法で増加されうる。すなわち、この実施形態において、開口壁によってもはやカバーされない箱の側面領域は、連続的にまたは別々のステップにおいて変化されうる。いくつかの実施形態において、開口壁は、２つ以上の部分に分割され、その結果、それらの部分は、互いに分離して移動されうり、さらに、隣接する側壁または箱の床との重なり位置に別々にもたらされうる。また、これは、例えば、箱において輸送されまたは収納される商品の選択的な露出を可能にする。
【００１０】
いくつかのさらなる実施形態によれば、箱は、開口壁が開いた状態にある折り畳まれた状態においても、開口壁が閉じた状態にある輸送状態においても、積み重ね可能である。このように、床は、箱が下方にすなわち側壁と反対向きの床の側に一定の床縁領域を含むことを保証する構造を有し、それは、固定され、さらに、積み重ねを可能にする垂直方向において下方にのびる。この点において、本発明のいくつかの実施形態によれば、床縁領域は、それが開いた状態にあるときでも、開口壁より垂直方向においてさらにのびる。これは、開口壁が箱の床の下に開いた状態にあるときでも、箱の積み重ねを維持することを可能にする。
【００１１】
いくつの実施形態によれば、側壁または開口壁は、それぞれロック機構を含み、それを用いると、壁が垂直位置にあるときに側壁または開口壁が隣接する壁にロックされうり、その結果、箱の高い安定性が輸送するために保証されうる。
【００１２】
以下に、本発明のいくつかの実施形態が、添付図面に関連してさらに詳細に説明される。
【図面の簡単な説明】
【００１３】
【図１】図１は、その閉じた状態において開口壁を有する発明の箱の実施形態を示す。
【図２】図２は、その半分開いた状態において開口壁を有する図１の箱の実施形態を示す。
【図３】図３は、開いた状態においてその開口壁を有する図１および図２の箱の実施形態を示す。
【図４】図４は、折り畳まれた状態において図１〜図３の箱の実施形態を示す。
【図５ａ】図５ａは、図１〜図４の２つの折り畳まれ積み重ねられた箱の断面図を示す。
【図５ｂ】図５ｂは、箱の床縁領域の投影図を示す。
【図６】図６は、発明の箱のさらなる実施形態を示す。
【図７】図７は、発明の箱のさらなる別の実施形態を示す。
【発明を実施するための形態】
【００１４】
図１は、柔軟に使用可能な箱１０の実施形態を示す。箱１０は、床１２とそれぞれ対になって対向する４つの側壁１４ａ〜１４ｄとを含み、それらは、床１２から垂直方向において上方にのびる。図１に示される実施形態において、全４つの側壁１４ａ〜１４ｄは、およそ同じ高さであり、すなわち垂直方向１６において同じ距離だけのびる。しかしながら、これは例であって、他の実施形態は、側壁１４ａ〜１４ｄの高さに関して個々に異なってもよい。例えば、それぞれ対になって対向する側壁は、同じ高を含んでもよく、または、あらゆる側壁は、異なる高さを有してもよい。
【００１５】
その構造的な特殊性のため、側壁１４ｄは、開口壁１４ｄが箱の外側に閉じる図１にその閉じた状態において示される開口壁を形成し、すなわち完全な側面領域をカバーしまたは側面領域を覆う。以下の実施形態に関して説明されるように、開口壁１４ｂによってまたは少なくともこの側面領域の一部分によってその閉じた状態においてカバーされる完全な側面領域は、開口壁１４ｄによって露出されうり、その結果、開口壁１４ｄによってその閉じた状態においてカバーされる露出された側面領域を介して、箱の内部は、輸送された商品を取り出すためにまたは物を箱に導入するためにアクセスされうる。図２〜図４に関して以下に説明されるように、開口壁１４ｄは、開いた状態において開口壁１４ｄが少なくとも床１２を部分的にカバーするように、側面領域の一部分だけをカバーする開口壁１４ｄによって図１に示される位置から開いた状態に移動されうる。
【００１６】
開口壁１４ｄは、第１のロック機構１８ａおよび第２のロック機構１８ｂをさらに含み、それを用いると、開口壁１４ｂは、閉じた状態において、箱１０の安定性を保証するために、それぞれ隣接する側壁１４ａまたは１４ｃにロックされうる。同様に、側壁１４ａおよび１４ｃは、ロック機構２０ａおよび２０ｂを含み、それを用いると、側壁１４ａおよび１４ｃは、側壁１４ｂにロックされうる。側壁１４ａ、１４ｂおよび１４ｃは、側壁が床の上の方向において内側に図１に示される垂直位置から折り畳まれうるように、床１２に対して移動可能にマウントされ、その結果、折り畳まれた状態において、それは、図４に示されるように、床１２に平行に実質的に水平位置にある。ここで以下に内側または内部は、箱の閉じた状態において側壁１４ａ〜１４ｄによって囲まれる領域に関し、すなわちそこに輸送される商品が箱に導入されうる。全方向は、垂直方向１６においておよそ垂直に配置される水平と呼ばれ、すなわち床１２によって定義される平面に平行にある全方向である。
【００１７】
側壁１４ａ〜１４ｃの折り畳みを可能にするために、第１の側壁１４ａ、第２の側壁１４ｂおよび第３の側壁１４ｃの位置で、それぞれの床１２は、垂直方向１６において上方にのびる一定の床縁領域２２ａ、２２ｂ、２２ｃを含み、対向する側壁１４ａおよび１４ｃに関連する床縁領域２２ａおよび２２ｃは、側壁１４ｂの床縁領域２２ｂより垂直方向１６に低い高さでのびる。床縁領域の上端部で、側壁１４ａ、１４ｂおよび１４ｃは、ヒンジによって床１２または関連した縁領域２２ａ〜２２ｃにそれぞれマウントされる。これは、図４に示される折り畳まれた状態において、側壁１４ａ〜１４ｃが基本的に床に平行に水平方向にあるという事実をもたらし、側壁のそれぞれは、少なくとも床を部分的にカバーする。図１〜図４に記載されている本発明の実施形態は、その開いた状態においてそれが残りの側壁１４ａ〜１４ｃに対向する床１２の側に完全に配置されるように移動可能である開口壁１４ｄをさらに含む。図２および図３に関して示されるように、側壁は、ロック機構１８および１８ｂが解除された後に、傾斜した後にそれが床に平行に水平位置にあるように、外側に折り畳まれまたは傾斜されうる。この位置から、図２に示されるように、側壁は、挿入方向２４において床の下にスライドされまたは挿入されうり、その結果、完全な挿入の後、それは、図３に示される床の下に位置に配置され、すなわち開口壁１４ｄは、残りの側壁１４ａ〜１４ｃに対向する床の側に配置される。
【００１８】
このように、可能でなければならない上部からアクセスすることなしに、商品を箱から取り出しまたはそれを箱に積むことは、図３に示される位置において可能である。
【００１９】
同時に、開口壁を開閉するときに、箱が完全に積み重ねられるときでも開口壁１４ｄが開かれうるように、箱の内部容積すなわちその内部領域が妨げられないことは、側壁を外側に傾斜しさらにそれを床の下に移動することによって保証される。
【００２０】
図１〜図３において１つの開口壁１４ｄだけが示されているにもかかわらず、別の実施形態において、さらなる開口壁を提供すること、例えば、さらなる開口壁として側壁１４ｂを提供することが可能であり、その結果、側壁１４ｂまたは側壁１４ｄが開口壁として用いられうる。
【００２１】
同時に、さらなる別の実施形態によれば、開口壁は別として残りの側壁が剛体であり、すなわち、それは折り畳み可能に実装されない。
【００２２】
側壁１４ａ〜１４ｃの折り畳みは、開口壁１４ｂが開いた状態にあり、さらに、側壁１４ａ〜１４ｃが折り畳まれるときに、箱が、小さい容積を必要として、簡単でコスト効率のよい方法でその空の状態において輸送されうるというさらなる利点を提供する。折り畳まれていない状態においても図４に示される折り畳まれた状態においても箱の積み重ねを可能にするために、床１２は、側壁１４ａ〜１４ｃに対向する側において、それぞれが垂直方向１６において下方にのびる一定の床縁領域を含み、それは、図３および図４から集められうるように、特に図５においてその開いた状態において開口壁１４ｄより垂直方向においてさらに下にのびる。これは、それらの折り畳まれた状態において互いの上部に積み重ねられる２つの箱の断面を示す図５から特に集められうり、断面は、図４に示される切断線３０に沿って通る。
【００２３】
図５ａの断面図に示されるように、側壁１４ａおよび１４ｃに対向する一定の床縁領域３２は、床の下に折り畳まれるその開いた状態において開口壁より垂直方向１６においてさらに下方にのびる。これは、床１２またはそのより低い一定の床縁領域が接触面として常に用いられうるように、開口壁がその開いた状態において開かれまたは閉じられるかどうかとは無関係に、箱１０がその開いた状態においてもその折り畳まれた状態においても積み重ねられうるという事実をもたらす。
【００２４】
図５から集められうるように、図１〜図４に記載されている実施形態において、開口壁１４ｄは、それを折り畳んだ後に床１２の下にスライドされまたは押されうる。この目的のために、側壁１４ａおよび１４ｃに対向して配置されるより低い床縁領域のそれぞれ対向する固定側に、床１２は、開口壁１４ｄがガイドされる溝またはスロットを含む。
【００２５】
図５ｂは、側壁１４ａに関連する一定の床縁領域の投影図を図解的に示す。これは、図４に示される方向４０からの眺めである。
【００２６】
床１２と垂直方向において上方にのびる一定の床縁領域２２ａのおよび垂直方向において下方にのびる一定の床縁領域３２の眺めとの断面が示される。下方にのびる床縁領域３２において、それを床１２の下に移動するときに開口壁１４ｄがガイドされうるガイド溝またはスロット（溝）４２が配置される。図５ｂに示される実施形態において、この目的のために、開口壁１４ｄは、例えば、開口壁１４ｂから方向４０にのびて、溝４２に係合するボルトを含む。ガイド溝４２が、図５ｂに示されるように、開口壁１４の方向において上部の方で、すなわち垂直方向１６においてその端４４で閉じられる場合、その結果、折り畳まれていない状態において開口壁のボルトを介して、力が床１２に伝達されうる。ガイド溝４２が前方にすなわち水平方向４５において閉じられる限り、開口壁が箱の残りから着脱可能にされることが防止される。
【００２７】
図６は、床１２と箱の閉じた状態において対になって対向する４つの側壁１４ａ〜１４ｄとを含む発明の箱のさらなる実施形態を示す。図６に示される実施形態において、開口壁を形成する側壁１４ｄは、開口壁１４ｄが、側面領域を完全にまたは部分的に露出するために、連続的にまたは別々のステップにおいてさらに垂直方向１６に対向して移動されうるように、垂直方向において互いの上部に配置される複数のラメラを含む。ここで、側面領域は、前述の実施形態においてすでに似ているように、露出される最大でありうる領域であり、換言すれば、完全に閉じた状態において開口壁１４ｄによってカバーされる表面である。
【００２８】
図６に示される実施形態において、このようにラメラからなる開口壁１４ｄは、開いた状態において開口壁が残りの側壁１４ａ、１４ｂおよび１４ｃに対向する床１２の側に完全に配置されるように、移動可能である。ここで、ラメラからなる開口壁１４ｄは、例えば図５ｂに関して示されるように、例えば床１２の下部側の溝４２においてガイドされうる。さらに、開口壁１４ｄは、例えば側壁１４ａおよび１４ｃにおいて溝にガイドされうる。図６に示される実施形態に関して、箱によって取られる容積が開口壁を開いた状態に移動することによって増加しないように、開いた状態において、開口壁が床１２を部分的にカバーし、すなわち箱と関連があるままであるという利点もある。同様に、図６に示される実施形態において、折り畳み可能な方法で側壁１４ａ、１４ｂおよび１４ｃを実装する可能性は任意である。
【００２９】
図７は、床１２と閉じた状態において対になって互いに対向する側壁１４ａ、１４ｂ、１４ｃおよび１４ｄとを含む有する柔軟な箱のさらなる別の実施形態を示し、側壁１４ｄは、開口壁として構成される。
【００３０】
図７に示される実施形態において、開口壁は、第１の壁領域５０ａおよび第２の壁領域５０ｂに分割されうり、それぞれは、垂直方向において垂直に通る複数のラメラを含む。開いた状態において、第１の側壁領域５０ａは、少なくとも側壁１４ａを部分的にカバーし、さらに、第２の側壁領域５０ｂは、少なくとも側壁１４ｃを部分的にカバーする。もちろん、壁領域５０ａまたは５０ｂの１つだけが開かれうり、その結果、壁領域の１つだけが対応する側壁１４ａまたは１４ｃを部分的にまたは完全にカバーする。また、この実施形態において、開口壁は、開いた状態において開口壁１４ｄが少なくとも隣接する側面１４ａまたは１４ｃの１つを部分的にまたは完全にカバーするように、該当する場合には、側壁が折り畳み可能に任意に構成されうるように、実装される。
【００３１】
図７に示される実施形態の代用として、開口壁は、いくつかのラメラから再び形成される１つの要素だけからなることもでき、その結果、開い状態において、側壁１４ａまたは１４ｃの１つだけが、開口壁によって部分的にカバーされる。
【００３２】
前述の実施形態において、主に野菜または果物の箱または小売業の内容を輸送することを意図する箱が述べられたが、発明の概念は、もちろんいかなる他のタイプのコンテナにも適している。例えば、ボックスパレット、コンテナまたは貨物コンテナは、上記の記載の範囲内の箱として実装されうり、その結果、開口壁を介して、コンテナまたは箱の内部容積に対する別のタイプのアクセスが生じる。
【００３３】
さらに、ツールまたは飲料の箱または一般的にいかなる別のケース、木枠等が、前述の実施形態による開口壁とともに実装されうる。
【００３４】
さらに、箱の形状は、もちろん、上述の矩形の平面図に制限されない。あるいは、箱は、例えば３角形、５角形、６角形の箱などのように、いかなる数の側壁でも用いられうり、または、一般的に言っていかなる数の側壁の箱も用いられうる。
【００３５】
別の実施形態において、箱が上部の方に開かれないことは別として、箱を上部の方に閉じる蓋を有する。発明の開口壁を用いるときに、箱の柔軟な使用が、それが蓋を含むときにも保証される。これらの実施形態において、床に対向する側で４つのまたはいかなる数の側壁に接続される蓋が、固定されたまたは着脱可能な方法で箱に接続されうる。
【図１】
0005525616.tif 000002
【図２】
0005525616.tif 000003
【図３】
0005525616.tif 000004
【図４】
0005525616.tif 000005
【図５ａ】
0005525616.tif 000006
【図５ｂ】
0005525616.tif 000007
【図６】
0005525616.tif 000008
【図７】
0005525616.tif 000009